(57)【要約】  マルチキャリア高速アップリンクパケットアクセス（ＨＳＵＰＡ）における送信時間間隔（ＴＴＩ）組合せの制御のための方法が提示される。本方法は、通信ネットワーク（６）のサービングノード（２、３）において実施され、プライマリアップリンク（ＵＬ）周波数のＴＴＩスイッチングのための、およびセカンダリアップリンク周波数のＴＴＩスイッチングのための単一の高速シグナリング制御チャネル（ＨＳ−ＳＣＣＨ）オーダーをユーザ機器（ＵＥ１）に送ること（６０）を含む。また、そのサービングノード、ユーザ機器、コンピュータプログラムおよびコンピュータプログラム製品が提示される。【選択図】図６Ａ
2019520735.tif 000002
【特許請求の範囲】
【請求項１】
マルチキャリア高速アップリンクパケットアクセス（ＨＳＵＰＡ）における送信時間間隔（ＴＴＩ）組合せの制御のための方法であって、前記方法が、通信ネットワーク（６）のサービングノード（２、３）において実施され、
プライマリアップリンク（ＵＬ）周波数のＴＴＩスイッチングのための、およびセカンダリアップリンク周波数のＴＴＩスイッチングのための単一の高速シグナリング制御チャネル（ＨＳ−ＳＣＣＨ）オーダーをユーザ機器（ＵＥ１）に送ること（６０）
を含む、方法。
【請求項２】
前記通信ネットワークが、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）である、請求項１に記載の方法。
【請求項３】
前記ＨＳ−ＳＣＣＨオーダーが、拡張されたオーダータイプ「１１  ０１１」にしたがって送られる、請求項１または２に記載の方法。
【請求項４】
２ｍｓ＋１０ｍｓ、１０ｍｓ＋２ｍｓ、２×２ｍｓ、または２×１０ｍｓへのＴＴＩスイッチオーダーを指示する前記ＨＳ−ＳＣＣＨオーダーが送られる、請求項１から３のいずれか一項に記載の方法。
【請求項５】
２×２ｍｓから２×１０ｍｓへの、２×１０ｍｓから２×２ｍｓへの、２×２ｍｓから１０ｍｓ＋２ｍｓへの、１０ｍｓ＋２ｍｓから２×２ｍｓへの、２×１０ｍｓから１０ｍｓ＋２ｍｓへの、１０ｍｓ＋２ｍｓから２×１０ｍｓへの、２×２ｍｓから２ｍｓ＋１０ｍｓへの、２ｍｓ＋１０ｍｓから２×２ｍｓへの、２ｍｓ＋１０ｍｓから２×１０ｍｓへの、または２×１０ｍｓから２ｍｓ＋１０ｍｓへのＴＴＩスイッチオーダーを指示する前記ＨＳ−ＳＣＣＨオーダーが送られる、請求項１から４のいずれか一項に記載の方法。
【請求項６】
前記通信ネットワークのカバレッジが、より長いＴＴＩにスイッチすることによって拡張される、請求項１から５のいずれか一項に記載の方法。
【請求項７】
前記通信ネットワークのスループットが、より短いＴＴＩにスイッチすることによって増加される、請求項１から５のいずれか一項に記載の方法。
【請求項８】
マルチキャリア高速アップリンクパケットアクセス（ＨＳＵＰＡ）における送信時間間隔（ＴＴＩ）組合せの制御のための方法であって、前記方法が、通信ネットワーク（６）のユーザ機器（１）において実施され、
プライマリアップリンク周波数のＴＴＩスイッチングのための、およびセカンダリアップリンク周波数のＴＴＩスイッチングのための単一の高速シグナリング制御チャネル（ＨＳ−ＳＣＣＨ）オーダーをサービングノード（２、３）から受信すること（６３）
を含む、方法。
【請求項９】
前記通信ネットワークが、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）である、請求項８に記載の方法。
【請求項１０】
前記ＨＳ−ＳＣＣＨオーダーが、高速ダウンリンク共有チャネル（ＨＳ−ＤＳＣＨ）ノードから受信される、請求項８または９に記載の方法。
【請求項１１】
前記ＨＳ−ＳＣＣＨオーダーが、拡張されたオーダータイプ「１１  ０１１」にしたがって受信される、請求項８から１０のいずれか一項に記載の方法。
【請求項１２】
２ｍｓ＋１０ｍｓ、１０ｍｓ＋２ｍｓ、２×２ｍｓ、または２×１０ｍｓへのＴＴＩスイッチオーダーを指示する前記ＨＳ−ＳＣＣＨオーダーが受信される、請求項８から１１のいずれか一項に記載の方法。
【請求項１３】
２×２ｍｓから２×１０ｍｓへの、２×１０ｍｓから２×２ｍｓへの、２×２ｍｓから１０ｍｓ＋２ｍｓへの、１０ｍｓ＋２ｍｓから２×２ｍｓへの、２×１０ｍｓから１０ｍｓ＋２ｍｓへの、１０ｍｓ＋２ｍｓから２×１０ｍｓへの、２×２ｍｓから２ｍｓ＋１０ｍｓへの、２ｍｓ＋１０ｍｓから２×２ｍｓへの、２ｍｓ＋１０ｍｓから２×１０ｍｓへの、または２×１０ｍｓから２ｍｓ＋１０ｍｓへのＴＴＩスイッチオーダーを指示する前記ＨＳ−ＳＣＣＨオーダーが送られる、請求項８から１２のいずれか一項に記載の方法。
【請求項１４】
ＵＭＴＳのカバレッジが、より長いＴＴＩにスイッチすることによって拡張される、請求項８から１３のいずれか一項に記載の方法。
【請求項１５】
前記ＵＭＴＳのスループットが、より短いＴＴＩにスイッチすることによって増加される、請求項８から１３のいずれか一項に記載の方法。
【請求項１６】
マルチキャリア高速アップリンクパケットアクセス（ＨＳＵＰＡ）における送信時間間隔（ＴＴＩ）組合せの制御のためのサービングノードであって、前記サービングノード（２、３）が、
プロセッサ（１０）と、
命令を記憶するコンピュータプログラム製品（１２、１３）とを備え、前記命令が、前記プロセッサによって実行されたとき、ネットワークノードに、
プライマリアップリンク（ＵＬ）周波数のＴＴＩスイッチングのための、およびセカンダリアップリンク周波数のＴＴＩスイッチングのための単一の高速シグナリング制御チャネル（ＨＳ−ＳＣＣＨ）オーダーをユーザ機器（ＵＥ１）に送ること（６０）
を行わせる、
サービングノード。
【請求項１７】
通信ネットワークが、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）である、請求項１６に記載のサービングノード。
【請求項１８】
マルチキャリア高速アップリンクパケットアクセス（ＨＳＵＰＡ）における送信時間間隔（ＴＴＩ）組合せの制御のためのユーザ機器（ＵＥ）であって、前記ＵＥ（１）が、
プロセッサ（１０）と、
命令を記憶するコンピュータプログラム製品（１２、１３）とを備え、前記命令が、前記プロセッサによって実行されたとき、ネットワークノードに、
プライマリアップリンク周波数のＴＴＩスイッチングのための、およびセカンダリアップリンク周波数のＴＴＩスイッチングのための単一の高速シグナリング制御チャネル（ＨＳ−ＳＣＣＨ）オーダーをサービングノード（２、３）から受信すること（６３）
を行わせる、
ユーザ機器（ＵＥ）。
【請求項１９】
マルチキャリア高速アップリンクパケットアクセス（ＨＳＵＰＡ）における送信時間間隔（ＴＴＩ）組合せの制御のためのサービングノードであって、前記サービングノード（２、３）が、
プライマリアップリンク（ＵＬ）周波数のＴＴＩスイッチングのための、およびセカンダリアップリンク周波数のＴＴＩスイッチングのための単一の高速シグナリング制御チャネル（ＨＳ−ＳＣＣＨ）オーダーをユーザ機器（ＵＥ１）に送ること（６０）を行うための通信マネージャ（７０）
を備える、サービングノード。
【請求項２０】
マルチキャリア高速アップリンクパケットアクセス（ＨＳＵＰＡ）における送信時間間隔（ＴＴＩ）組合せの制御のためのユーザ機器（ＵＥ）であって、前記ＵＥ（１）が、
プライマリアップリンク周波数のＴＴＩスイッチングのための、およびセカンダリアップリンク周波数のＴＴＩスイッチングのための単一の高速シグナリング制御チャネル（ＨＳ−ＳＣＣＨ）オーダーをサービングノード（２、３）から受信すること（６３）を行うための通信マネージャ（７０）
を備える、ユーザ機器（ＵＥ）。
【請求項２１】
マルチキャリア高速アップリンクパケットアクセス（ＨＳＵＰＡ）における送信時間間隔（ＴＴＩ）組合せの制御のためのコンピュータプログラム（１４、１５）であって、前記コンピュータプログラムがコンピュータプログラムコードを備え、前記コンピュータプログラムコードが、サービングノード（２、３）上で動作させられたとき、前記サービングノード（２、３）に、
プライマリアップリンク（ＵＬ）周波数のＴＴＩスイッチングのための、およびセカンダリアップリンク周波数のＴＴＩスイッチングのための単一の高速シグナリング制御チャネル（ＨＳ−ＳＣＣＨ）オーダーをユーザ機器（ＵＥ１）に送ること（６０）
を行わせる、コンピュータプログラム（１４、１５）。
【請求項２２】
マルチキャリア高速アップリンクパケットアクセス（ＨＳＵＰＡ）における送信時間間隔（ＴＴＩ）組合せの制御のためのコンピュータプログラムであって、前記コンピュータプログラムがコンピュータプログラムコードを備え、前記コンピュータプログラムコードが、ＵＥ（１）上で動作させられたとき、前記ＵＥ（１）に、
プライマリアップリンク周波数のＴＴＩスイッチングのための、およびセカンダリアップリンク周波数のＴＴＩスイッチングのための単一の高速シグナリング制御チャネル（ＨＳ−ＳＣＣＨ）オーダーをサービングノード（２、３）から受信すること（６３）
を行わせる、コンピュータプログラム。
【請求項２３】
請求項２１または２２に記載のコンピュータプログラム（１４、１５）と、前記コンピュータプログラム（１４、１５）が記憶されるコンピュータ可読記憶手段とを備えるコンピュータプログラム製品（１２、１３）。
【発明の詳細な説明】
【技術分野】
【０００１】
本発明は、マルチキャリア高速アップリンクパケットアクセスにおける送信時間間隔組合せの制御のための方法と、そのサービングノード、ユーザ機器、コンピュータプログラムおよびコンピュータプログラム製品とに関する。
【背景技術】
【０００２】
第７０回３ＧＰＰ無線アクセスネットワーク（ＲＡＮ）総会において、「Ｍｕｌｔｉ  ｃａｒｒｉｅｒ  ｅｎｈａｎｃｅｍｅｎｔｓ  ｆｏｒ  ＵＭＴＳ」と題する新しい研究項目が承認された（ＲＰ−１５２２２７、ＵＭＴＳのためのマルチキャリアエンハンスメントに関する研究、Ｈｕａｗｅｉ、ＨｉＳｉｌｉｃｏｎ、Ｃｈｉｎａ  Ｕｎｉｃｏｍ、第７０回ＲＡＮ、シッチェス、スペイン、２０１５）。今日現在、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）規格は、両方のキャリア上で２ｍｓ送信時間間隔（ＴＴＩ：Ｔｒａｎｓｍｉｓｓｉｏｎ  Ｔｉｍｅ  Ｉｎｔｅｒｖａｌ）を用いる、デュアルバンドデュアルキャリア高速アップリンクパケットアクセス（ＤＢ−ＤＣ−ＨＳＵＰＡ：Ｄｕａｌ  Ｂａｎｄ−Ｄｕａｌ  Ｃａｒｒｉｅｒ  Ｈｉｇｈ  Ｓｐｅｅｄ  Ｕｐｌｉｎｋ  Ｐａｃｋｅｔ  Ａｃｃｅｓｓ）またはＤＣ−ＨＳＵＰＡを可能にするにすぎない。新しい研究項目では、１０ｍｓ  ＴＴＩが１つまたは２つのキャリアのために設定されることを可能にすることによって、マルチキャリアＨＳＵＰＡの能力を拡張することが提案された。
【０００３】
ＤＣ−ＨＳＵＰＡは、３ＧＰＰ  ＴＳ  ２５．２１２、ＲＰ−０９００１４、研究項目「ＲＡＮｉｍｐ−ＤＣ  ＨＳＵＰＡ」、２００９のリリース９において導入された。リリース１３中に、ＤＢ−ＤＣ−ＨＳＵＰＡは、デュアルバンドサポートを追加するために導入された。リリース１４では、新しい研究における研究項目記述（ＳＩＤ：Ｓｔｕｄｙ  Ｉｔｅｍ  Ｄｅｓｃｒｉｐｔｉｏｎ）が、「１０ｍｓ  ＴＴＩが、マルチキャリア展開のために設定され得る。このようにして、１０ｍｓ  ＴＴＩは、ＤＢ−ＤＣ−ＨＳＵＰＡ／ＤＣ−ＨＳＵＰＡがより高いデータレートを取得するように設定されるとき、１つのキャリアまたは２つのキャリア上で設定され得る」と述べている。
【０００４】
ＳＩＤに基づいて、いくつかの可能な設定が予見され、それらの設定から、以下のシナリオが、最も有望なものとして識別された。
シナリオ１：ＤＢ−ＤＣ−ＨＳＵＰＡシナリオのための２ｍｓ＋１０ｍｓ設定
シナリオ２：ＤＢ−ＤＣ−ＨＳＵＰＡシナリオのための１０ｍｓ＋１０ｍｓ設定
シナリオ３：ＤＣ−ＨＳＵＰＡシナリオのための１０ｍｓ＋１０ｍｓ設定
【０００５】
それらのシナリオは評価の対象となり、それらの潜在的な利益が、ＤＢ−ＤＣ−ＨＳＵＰＡまたはＤＣ−ＨＳＵＰＡにかかわらず、両方のアップリンクキャリアのために使用される固定２ｍｓ  ＴＴＩ設定と、ネットワークとモバイルユニットとの間の損失がこれらのエンティティ間の距離のために大きくなるときに適したシングルキャリア性能との両方に配慮して、従来の性能と比較された。
【０００６】
ＵＭＴＳによって使用され得る、可能なＴＴＩ設定との関係において、エンハンストアップリンク（ＥＵＬ）が、リリース１２以来、ＴＴＩ長の間で速くスイッチする可能性を有した。このエンハンスメントは、高速共有制御チャネル（ＨＳ−ＳＣＣＨ：Ｈｉｇｈ−Ｓｐｅｅｄ  Ｓｈａｒｅｄ  Ｃｏｎｔｒｏｌ  Ｃｈａｎｎｅｌ）オーダーの特有のセットを介してユーザ機器（ＵＥ）の速い再設定を可能にする。ＵＭＴＳにおけるマルチキャリアシナリオは、キャリアごとに無関係のＴＴＩ設定に潜在的に対処し得るので、ＤＣ−ＨＳＵＰＡシナリオとＤＢ−ＤＣ−ＨＳＵＰＡシナリオの両方において適切な処理を提供するために、この機構を修正することが有意義となる。
【発明の概要】
【０００７】
本発明の目的は、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍのための改善されたシステム性能を可能にすることである。
【０００８】
第１の態様によれば、マルチキャリア高速アップリンクパケットアクセス（ＨＳＵＰＡ：Ｈｉｇｈ  Ｓｐｅｅｄ  Ｕｐｌｉｎｋ  Ｐａｃｋｅｔ  Ａｃｃｅｓｓ）における送信時間間隔（ＴＴＩ）組合せの制御のための方法が提示される。本方法は、通信ネットワークのサービングノードにおいて実施され、プライマリアップリンク（ＵＬ）周波数のＴＴＩスイッチングのための、およびセカンダリアップリンク周波数のＴＴＩスイッチングのための単一の高速シグナリング制御チャネル（ＨＳ−ＳＣＣＨ：Ｈｉｇｈ  Ｓｐｅｅｄ  Ｓｉｇｎａｌｌｉｎｇ  Ｃｏｎｔｒｏｌ  Ｃｈａｎｎｅｌ）オーダーをユーザ機器（ＵＥ）に送ることを含む。
【０００９】
通信ネットワークは、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）であり得る。
【００１０】
ＨＳ−ＳＣＣＨオーダーは、拡張されたオーダータイプ「１１  ０１１」にしたがって送られ得る。
【００１１】
２ｍｓ＋１０ｍｓへの、１０ｍｓ＋２ｍｓへの、２×２ｍｓ（すなわち、２ｍｓ＋２ｍｓ）への、または２×１０ｍｓ（すなわち、１０ｍｓ＋１０ｍｓ）へのＴＴＩスイッチオーダーを指示するＨＳ−ＳＣＣＨオーダーが送られ得る。
【００１２】
たとえば、２×２ｍｓから２×１０ｍｓへの、２×１０ｍｓから２×２ｍｓへの、２×２ｍｓから１０ｍｓ＋２ｍｓへの、１０ｍｓ＋２ｍｓから２×２ｍｓへの、２×１０ｍｓから１０ｍｓ＋２ｍｓへの、１０ｍｓ＋２ｍｓから２×１０ｍｓへの、２×２ｍｓから２ｍｓ＋１０ｍｓへの、２ｍｓ＋１０ｍｓから２×２ｍｓへの、２ｍｓ＋１０ｍｓから２×１０ｍｓへの、または２×１０ｍｓから２ｍｓ＋１０ｍｓへのＴＴＩスイッチオーダーを指示するＨＳ−ＳＣＣＨオーダーが送られ得る。
【００１３】
通信ネットワークのカバレッジが、より長いＴＴＩにスイッチすることによって拡張され得る。
【００１４】
通信ネットワークのスループットが、より短いＴＴＩにスイッチすることによって増加され得る。
【００１５】
第２の態様によれば、マルチキャリア高速アップリンクパケットアクセス（ＨＳＵＰＡ）における送信時間間隔（ＴＴＩ）組合せの制御のための方法が提示される。本方法は、通信ネットワークのユーザ機器において実施され、プライマリアップリンク周波数のＴＴＩスイッチングのための、およびセカンダリアップリンク周波数のＴＴＩスイッチングのための単一の高速シグナリング制御チャネル（ＨＳ−ＳＣＣＨ）オーダーをサービングノードから受信することを含む。
【００１６】
通信ネットワークは、ＵＭＴＳ準拠通信ネットワークであり得る。
【００１７】
ＨＳ−ＳＣＣＨオーダーは、ＨＳ−ＤＳＣＨノードから受信され得る。
【００１８】
ＨＳ−ＳＣＣＨオーダーは、拡張されたオーダータイプ「１１  ０１１」にしたがって受信され得る。
【００１９】
２ｍｓ＋１０ｍｓへの、１０ｍｓ＋２ｍｓへの、２×２ｍｓへの、または２×１０ｍｓへのＴＴＩスイッチオーダーを指示するＨＳ−ＳＣＣＨオーダーが受信され得る。
【００２０】
２×２ｍｓから２×１０ｍｓへの、２×１０ｍｓから２×２ｍｓへの、２×２ｍｓから１０ｍｓ＋２ｍｓへの、１０ｍｓ＋２ｍｓから２×２ｍｓへの、２×１０ｍｓから１０ｍｓ＋２ｍｓへの、１０ｍｓ＋２ｍｓから２×１０ｍｓへの、２×２ｍｓから２ｍｓ＋１０ｍｓへの、２ｍｓ＋１０ｍｓから２×２ｍｓへの、２ｍｓ＋１０ｍｓから２×１０ｍｓへの、または２×１０ｍｓから２ｍｓ＋１０ｍｓへのＴＴＩスイッチオーダーを指示するＨＳ−ＳＣＣＨオーダーが受信され得る。
【００２１】
ＵＭＴＳのカバレッジが、より長いＴＴＩにスイッチすることによって拡張され得る。
【００２２】
ＵＭＴＳのスループットが、より短いＴＴＩにスイッチすることによって増加され得る。
【００２３】
第３の態様によれば、マルチキャリア高速アップリンクパケットアクセス（ＨＳＵＰＡ）における送信時間間隔（ＴＴＩ）組合せの制御のためのサービングノードが提示される。本サービングノードは、プロセッサとコンピュータプログラム製品とを備える。コンピュータプログラム製品は、プロセッサによって実行されたとき、ネットワークノードに、プライマリアップリンク（ＵＬ）周波数のＴＴＩスイッチングのための、およびセカンダリアップリンク周波数のＴＴＩスイッチングのための単一の高速シグナリング制御チャネル（ＨＳ−ＳＣＣＨ）オーダーをユーザ機器（ＵＥ１）に送ることを行わせる命令を記憶する。
【００２４】
第４の態様によれば、マルチキャリア高速アップリンクパケットアクセス（ＨＳＵＰＡ）における送信時間間隔（ＴＴＩ）組合せの制御のためのユーザ機器（ＵＥ）が提示される。本ＵＥは、プロセッサとコンピュータプログラム製品とを備える。コンピュータプログラム製品は、プロセッサによって実行されたとき、ネットワークノードに、プライマリアップリンク周波数のＴＴＩスイッチングのための、およびセカンダリアップリンク周波数のＴＴＩスイッチングのための単一の高速シグナリング制御チャネル（ＨＳ−ＳＣＣＨ）オーダーをサービングノードから受信することを行わせる命令を記憶する。
【００２５】
第５の態様によれば、マルチキャリア高速アップリンクパケットアクセス（ＨＳＵＰＡ）における送信時間間隔（ＴＴＩ）組合せの制御のためのサービングノードが提示される。本サービングノードは、プライマリアップリンク（ＵＬ）周波数のＴＴＩスイッチングのための、およびセカンダリアップリンク周波数のＴＴＩスイッチングのための単一の高速シグナリング制御チャネル（ＨＳ−ＳＣＣＨ）オーダーをユーザ機器（ＵＥ）に送るための通信マネージャを備える。
【００２６】
第６の態様によれば、マルチキャリア高速アップリンクパケットアクセス（ＨＳＵＰＡ）における送信時間間隔（ＴＴＩ）組合せの制御のためのユーザ機器（ＵＥ）が提示される。本ＵＥは、プライマリアップリンク周波数のＴＴＩスイッチングのための、およびセカンダリアップリンク周波数のＴＴＩスイッチングのための単一の高速シグナリング制御チャネル（ＨＳ−ＳＣＣＨ）オーダーをサービングノードから受信するための通信マネージャを備える。
【００２７】
第７の態様によれば、マルチキャリア高速アップリンクパケットアクセス（ＨＳＵＰＡ）における送信時間間隔（ＴＴＩ）組合せの制御のためのコンピュータプログラムが提示される。本コンピュータプログラムは、サービングノード上で動作させられたとき、サービングノードに、プライマリアップリンク（ＵＬ）周波数のＴＴＩスイッチングのための、およびセカンダリアップリンク周波数のＴＴＩスイッチングのための単一の高速シグナリング制御チャネル（ＨＳ−ＳＣＣＨ）オーダーをユーザ機器（ＵＥ）に送ることを行わせるコンピュータプログラムコードを備える。
【００２８】
第８の態様によれば、マルチキャリア高速アップリンクパケットアクセス（ＨＳＵＰＡ）における送信時間間隔（ＴＴＩ）組合せの制御のためのコンピュータプログラムが提示される。本コンピュータプログラムは、ＵＥ上で動作させられたとき、ＵＥに、プライマリアップリンク周波数のＴＴＩスイッチングのための、およびセカンダリアップリンク周波数のＴＴＩスイッチングのための単一の高速シグナリング制御チャネル（ＨＳ−ＳＣＣＨ）オーダーをサービングノードから受信することを行わせるコンピュータプログラムコードを備える。
【００２９】
また、コンピュータプログラムと、コンピュータプログラムが記憶されるコンピュータ可読記憶手段とを備えるコンピュータプログラム製品が提示される。
【００３０】
概して、特許請求の範囲において使用されるすべての用語は、本明細書で別段に明示的に規定されない限り、本技術分野におけるその通例の意味に従って解釈されるべきである。「１つの（ａ／ａｎ）／その（ｔｈｅ）要素、装置、構成要素、手段、ステップなど」へのすべての言及は、別段に明示的に述べられていない限り、その要素、装置、構成要素、手段、ステップなどの少なくとも１つの事例を指すようにオープンに解釈されるべきである。本明細書で開示されるいずれの方法のステップも、明示的に述べられていない限り、開示される厳密な順序で実施される必要はない。
【００３１】
次に、例として、添付の図面を参照しながら、本発明が説明される。
【図面の簡単な説明】
【００３２】
【図１】本明細書で提示される実施形態が適用され得る環境を例示する概略図である。
【図２】本明細書で提示される実施形態のための概略シグナリング方式の図である。
【図３】本明細書で提示される実施形態のための概略シグナリング方式の図である。
【図４Ａ】本明細書の実施形態の実装を例示する概略図である。
【図４Ｂ】本明細書の実施形態の実装を例示する概略図である。
【図４Ｃ】本明細書の実施形態の実装を例示する概略図である。
【図５】本明細書で提示されるネットワークデバイスの構成要素を例示する概略図である。
【図６Ａ】本明細書で提示される実施形態のための方法を例示するフローチャートである。
【図６Ｂ】本明細書で提示される実施形態のための方法を例示するフローチャートである。
【図６Ｃ】本明細書で提示される実施形態のための方法を例示するフローチャートである。
【図６Ｄ】本明細書で提示される実施形態のための方法を例示するフローチャートである。
【図７】本明細書で提示されるネットワークデバイスの機能モジュールを示す概略図である。
【発明を実施するための形態】
【００３３】
次に、本発明が、本発明のいくつかの実施形態が示された添付の図面を参照しながら、以下でより十分に説明される。しかしながら、本発明は、多くの異なる形態で具現化され得、本明細書に記載される実施形態に限定されるものとして解釈されるべきではなく、むしろ、これらの実施形態は、本開示が徹底的かつ完全であり、本発明の範囲を当業者に十分に伝えるように、例として提供される。同様の番号は、説明全体にわたって同様の要素を指す。
【００３４】
ＤＢ−ＤＣ−ＨＳＵＰＡおよびＤＣ−ＨＳＵＰＡでは、データの送信を実施するために２ｍｓ  ＴＴＩ設定ならびに１０ｍｓ  ＴＴＩ設定を使用することを可能にすることが提案された。その上、アップリンクキャリア上の２ｍｓ  ＴＴＩ設定と１０ｍｓ  ＴＴＩ設定との異なる組合せが提案された。これは、以下の可能な送信ケースにつながる。
・  ケース１（ベースライン）：２ｍｓ  ＴＴＩプライマリアップリンク周波数＋２ｍｓ  ＴＴＩセカンダリアップリンク周波数
・  ケース２：１０ｍｓ  ＴＴＩプライマリアップリンク周波数＋２ｍｓ  ＴＴＩセカンダリアップリンク周波数
・  ケース３：２ｍｓ  ＴＴＩプライマリアップリンク周波数＋１０ｍｓ  ＴＴＩセカンダリアップリンク周波数
・  ケース４：１０ｍｓ  ＴＴＩプライマリアップリンク周波数＋１０ｍｓ  ＴＴＩセカンダリアップリンク周波数
【００３５】
アップリンク（ＵＬ）キャリアとダウンリンク（ＤＬ）キャリアとは、ＤＢ−ＤＣ−ＨＳＵＰＡにおいてペアリングされる。ＵＬでは、用語は、プライマリアップリンク周波数およびセカンダリアップリンク周波数である。ＤＬでは、用語は、サービングＨＳ−ＤＳＣＨセルおよびセカンダリサービングＨＳ−ＤＳＣＨセルである。以下では、サービングＨＳ−ＤＳＣＨセルおよびセカンダリサービングＨＳ−ＤＳＣＨセルという用語は、それぞれ、サービングＨＳ−ＤＳＣＨノードおよびセカンダリサービングＨＳ−ＤＳＣＨノードに交換されることになる。したがって、ＨＳ−ＤＳＣＨノードは、ＨＳ−ＤＳＣＨセルのノードである。
【００３６】
ネットワークによって使用され得る様々なＴＴＩ設定を仮定すれば、キャリアごとのＴＴＩスイッチング機構、たとえば、他のキャリアとは無関係に、あるキャリア上のＴＴＩ長の変更を可能にする機構を有することはシステムの性能にとって有益であり、この機構は、たとえば帯域特性を含む、それの関連するキャリアに応じた異なるＴＴＩ長の特性をより動的なやり方で活用するために、設定をいつスイッチすべきかに関して、より多くの制御をネットワークに提供するために使用され得る。これは、セルの異なる部分で異なるＴＴＩ長を使用することが、異なる利益をもたらすことが証明されていることに起因する。レートに焦点を当てたＴＴＩ長、すなわち２ｍｓ  ＴＴＩ、またはカバレッジに焦点を当てたＴＴＩ長、すなわち１０ｍｓ  ＴＴＩの間でスイッチすることは、異なる時刻またはセルロケーションにおいてキャリアごとに無関係に実施されることが有益であり得る。
【００３７】
一実施形態によれば、既存のＴＴＩスイッチング機構は、ＵＭＴＳにおいてマルチキャリアシナリオのために導入され得る、様々なＴＴＩ設定に対処するためのシステムを準備することを目的として、シングルキャリアシナリオを超えてカバーするために変更される。
【００３８】
マルチキャリアソリューションは、たとえば帯域特性を含む、キャリアごとに設定される異なるＴＴＩ長の特性をより動的に活用するために、ＴＴＩ設定をいつスイッチすべきかに関して、より多くの制御をネットワークに提供する。マルチキャリアシナリオにおいてＴＴＩスイッチングを使用することによって取得され得る利点のいくつかの例は、以下のものである。
・  ユーザ機器（ＵＥ）が、ネットワークから遠く離れていく（たとえば、ネットワークの最も近いアクセスノードから遠ざかる）とき、最初に２ｍｓ  ＴＴＩで設定されたキャリアが１０ｍｓ  ＴＴＩにスイッチされた場合、カバレッジが拡張され得る。
・  ＵＥが、ネットワークに近づいているとき、最初に１０ｍｓで設定されたキャリアが２ｍｓ  ＴＴＩにスイッチされた場合、ＴＴＩスイッチを実施することによって、より高い総スループットが達成され得る。
・  ソリューションは、異なる帯域に属するキャリアに関連するＴＴＩ設定を要求に応じてスイッチすることによって取得され得る、追加のスループットおよびカバレッジの利益をさらに活用することの汎用性を提供する。
・  マルチキャリアシナリオにおけるＴＴＩスイッチングを実施するための、ＨＳ−ＳＣＣＨオーダー、新しい組合せまたは既存の組合せの異なる解釈のいずれかの使用は、同じ目的を達成するために無線リソース制御（ＲＲＣ）再設定を実施することと比較して、より速い代替策を提供する。
【００３９】
３ＧＰＰ  ＴＳ  ２５．２１２  リリース１２は、オーダーが、サービング高速ダウンリンク共有チャネル（ＨＳ−ＤＳＣＨ：Ｈｉｇｈ  Ｓｐｅｅｄ  Ｄｏｗｎｌｉｎｋ  Ｓｈａｒｅｄ  Ｃｈａｎｎｅｌ）セルまたはセカンダリサービングＨＳ−ＤＳＣＨセルから送信される場合、所与のセルのためのＴＴＩスイッチングの提供を有する。オーダーは、拡張されたオーダータイプ「１１  ０１１」にしたがって符号化される。現在の仕様に従って所与のキャリア上でＴＴＩをスイッチするためのオーダーが、以下の表１中にリストされている。
【００４０】
アップリンクマルチキャリアシナリオにおいてＴＴＩスイッチング機構を解釈するやり方が提示され、ダウンリンク中でＨＳ−ＳＣＣＨを送信するセルは、アップリンク中で複信セルのためのオーダーを送っており、すなわち、サービングセルＨＳ−ＳＣＣＨオーダーは、プライマリアップリンク周波数に適用され、セカンダリサービングセルＨＳ−ＳＣＣＨオーダーは、セカンダリアップリンク周波数に適用されることになる。したがって、各キャリアについて無関係にＴＴＩをスイッチすることが可能である。
【００４１】
プライマリＴＴＩ長とセカンダリＴＴＩ長とを無関係に再設定する、従来のオーダーを再利用することが可能である。この場合、サービングＨＳ−ＤＳＣＨセルまたはセカンダリＨＳ−ＤＳＣＨセルのいずれかから送信されるＨＳ−ＳＣＣＨオーダーは、それぞれ、アップリンクにおけるどのキャリア、すなわち、プライマリアップリンク周波数またはセカンダリアップリンク周波数のいずれかが、そのＴＴＩ設定を変更しているかを制御していることになる。
【００４２】
マルチキャリアＨＳＵＰＡのＴＴＩスイッチングのためのＨＳ−ＳＣＣＨオーダーの使用は、仕様中に明示的に述べられておらず、これは、将来のリリースにおいて更新され得る。
2019520735.tif 000003
【００４３】
両方のキャリアのための特有のＴＴＩ組合せにスイッチするための新しいオーダーの導入が提示される。表１が示すように、６つの予約済みスロットが、マルチキャリアシナリオのためのＴＴＩ組合せを割り当てるために使用され得る当該オーダータイプのために未使用のままである。
【００４４】
プライマリＴＴＩ長とセカンダリＴＴＩ長の両方について一度に再設定する単一のオーダーを提供する設計例が提示される。表２に示されているように、利用可能なＨＳ−ＳＣＣＨオーダー（すなわち、オーダーマッピングにおける、未使用／予約済みビット組合せ）が使用され得る。
2019520735.tif 000004
【００４５】
表２に追加された新しいＨＳ−ＳＣＣＨオーダーが、最も有意義なシナリオであることが予見されるＴＴＩ設定に配慮するが、いくつかの他のケースが、含まれ得るか、または表２中で与えられた例に取って代わり得る。たとえば、以下のようになる。
・  ２×２ｍｓから２ｍｓ＋１０ｍｓへ
・  ２ｍｓ＋１０ｍｓから２×２ｍｓへ
・  ２ｍｓ＋１０ｍｓから２×１０ｍｓへ
・  ２×１０ｍｓから２ｍｓ＋１０ｍｓへ
【００４６】
上記で提示されたソリューションは、ＤＣ−ＤＢ−ＨＳＵＰＡ／ＤＣ−ＨＳＰＡの異なるケースに特有であり、要求に応じて異なる組合せの間でスイッチすることによって、可能な複数のＴＴＩ組合せを扱うことが可能であるという特有の論点に対処する。ＴＴＩスイッチングを指示するために使用されるＨＳ−ＳＣＣＨオーダーの受信より前にプライマリキャリアおよびセカンダリキャリア上で使用されているＴＴＩ長とは無関係に、最終状態（すなわち、新しいＴＴＩ長）は、２ｍｓ＋１０ｍｓ、１０ｍｓ＋２ｍｓ、２×２ｍｓ、または２×１０ｍｓのみであり得る。
【００４７】
両方のキャリアのための特有のＴＴＩ組合せにスイッチするための新しいＨＳ−ＳＣＣＨオーダーの代替セットが、表３中で提示される。表３中のオーダーは、最終状態（すなわち、新しいＴＴＩ長）を指定する。それらは初期状態とは無関係であり得る。
2019520735.tif 000005
【００４８】
本明細書で説明される実施形態が実装され得る、ＵＭＴＳ通信ネットワーク６が、図１中で提示される。ＵＥ１は、２つのノードＢ２および３に、ワイヤレスに接続可能である。ノードＢ２および３は、コアネットワーク（ＣＮ）４に接続される。ノードＢのうちの１つはサービングノードＢであり、１つは非サービングノードＢである。
【００４９】
次に、一実施形態が、図２を参照しながら提示される。ＵＥは、デュアルキャリアセットアップ、たとえば、２ｍｓ＋２ｍｓ  ＤＣ−ＨＳＵＰＡで設定される。この場合、サービングノードＢは、サービングノードとセカンダリサービングノードとを含んでいる。サービングノードから、サービングノードＢは、プライマリアップリンク周波数のためのＴＴＩスイッチングＨＳ−ＳＣＣＨオーダーを送る。ＵＥは、オーダー肯定応答を送り、したがって、プライマリアップリンク周波数のために再設定されている。セカンダリサービングノードから、サービングノードＢは、セカンダリアップリンク周波数のためのＴＴＩスイッチングＨＳ−ＳＣＣＨオーダーを送る。ＵＥは、オーダー肯定応答を送り、したがって、セカンダリアップリンク周波数のために再設定されている。ここで、ＵＥは、新しいデュアルキャリアセットアップ、たとえば、１０ｍｓ＋１０ｍｓ  ＤＣ−ＨＳＵＰＡで再設定される。
【００５０】
次に、一実施形態が、図３を参照しながら提示される。ＵＥは、デュアルキャリアセットアップ、たとえば、２ｍｓ＋２ｍｓ  ＤＣ−ＨＳＵＰＡで設定される。サービングノードから、サービングノードＢは、プライマリアップリンク周波数とセカンダリアップリンク周波数の両方に適用される単一のＴＴＩスイッチングＨＳ−ＳＣＣＨオーダーを送る。ＵＥは、オーダー肯定応答を送り、したがって、プライマリアップリンク周波数のために、およびセカンダリアップリンク周波数のために再設定されている。ここで、ＵＥは、新しいデュアルキャリアセットアップ、たとえば、１０ｍｓ＋１０ｍｓ  ＤＣ−ＨＳＵＰＡで再設定される。
【００５１】
ＨＳＵＰＡにおけるＴＴＩ組合せの制御のための方法が提示される。その方法は、通信ネットワーク６のサービングノード２、３において実施される。その方法は、プライマリアップリンク周波数のＴＴＩスイッチングのための、およびセカンダリアップリンク周波数のＴＴＩスイッチングのための単一のＨＳ−ＳＣＣＨオーダーをＵＥ１に送ること６０を含む。
【００５２】
特定のＨＳ−ＳＣＣＨオーダーの形態のスイッチングオーダーが、プライマリＵＬキャリアのＴＴＩをスイッチすることをＵＥに指示するために、サービングＨＳ−ＤＳＣＨノードから送られ得、別のスイッチングオーダーが、セカンダリＵＬキャリアのためのＴＴＩスイッチを指示するために、セカンダリサービングＨＳ−ＤＳＣＨノードからのＨＳ−ＳＣＣＨオーダーを使用して送られ得、それらのＨＳ−ＳＣＣＨオーダー送信は、同時に実施されることも実施されないこともある。
【００５３】
ＨＳＵＰＡにおけるＴＴＩ組合せの制御のための方法が提示される。その方法は、通信ネットワーク６において実施され、プライマリアップリンク周波数のＴＴＩスイッチングのための第１のＨＳ−ＳＣＣＨオーダーをサービングネットワークノード２、３からＵＥ１に送ること６１、および／またはセカンダリアップリンク周波数のＴＴＩスイッチングのための第２のＨＳ−ＳＣＣＨオーダーをセカンダリサービングネットワークノード２、３からＵＥ１に送ること６２を含み、セカンダリサービングＨＳ−ＤＳＣＨノードから送られるＴＴＩ  ＨＳ−ＳＣＣＨオーダーは、サービングＨＳ−ＤＳＣＨノードから送られるＴＴＩスイッチングＨＳ−ＳＣＣＨオーダーとは無関係である。
【００５４】
通信ネットワークは、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍであり得る。
【００５５】
ＨＳ−ＳＣＣＨオーダーは、サービングＨＳ−ＤＳＣＨサービングノードまたはセカンダリＨＳ−ＤＳＣＨサービングノードのいずれかからのＨＳ−ＤＳＣＨから送られ得る。
【００５６】
ＨＳ−ＳＣＣＨオーダーは、拡張されたオーダータイプ「１１  ０１１」にしたがって送られ得る。
【００５７】
ＨＳ−ＳＣＣＨオーダーは、２ｍｓ＋１０ｍｓ、１０ｍｓ＋２ｍｓ、２×２ｍｓ、または２×１０ｍｓへのＴＴＩスイッチオーダーを伴って送られ得る。
【００５８】
通信ネットワークのカバレッジが、より長いＴＴＩにスイッチすることによって拡張され得る。通信ネットワークのスループットが、より短いＴＴＩにスイッチすることによって増加され得る。
【００５９】
ＨＳＵＰＡにおけるＴＴＩ組合せの制御のための方法が提示される。その方法は、通信ネットワーク６のＵＥ１において実施され、プライマリアップリンク周波数のＴＴＩスイッチングのための、およびセカンダリアップリンク周波数のＴＴＩスイッチングのための単一のＨＳ−ＳＣＣＨオーダーをサービングノード２、３から受信すること６３を含む。
【００６０】
通信ネットワークはＵＭＴＳであり得る。
【００６１】
ＨＳ−ＳＣＣＨオーダーは、ＨＳ−ＤＳＣＨノードから受信され得る。
【００６２】
ＨＳ−ＳＣＣＨオーダーは、拡張されたオーダータイプ「１１  ０１１」にしたがって受信され得る。
【００６３】
ＨＳ−ＳＣＣＨオーダーは、２ｍｓ＋１０ｍｓ、１０ｍｓ＋２ｍｓ、２×２ｍｓ、または２×１０ｍｓへのＴＴＩスイッチオーダーを伴って受信され得る。
【００６４】
ＵＭＴＳのカバレッジが、より長いＴＴＩにスイッチすることによって拡張され得る。
【００６５】
ＵＭＴＳのスループットが、より短いＴＴＩにスイッチすることによって増加され得る。
【００６６】
ＨＳＵＰＡにおけるＴＴＩ組合せの制御のための方法が提示される。その方法は、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ通信ネットワーク６のＵＥ１において実施され、プライマリアップリンク周波数のＴＴＩスイッチングのための第１のＨＳ−ＳＣＣＨオーダーをサービングネットワークノード２、３から受信すること６４と、セカンダリアップリンク周波数のＴＴＩスイッチングのための第２のＨＳ−ＳＣＣＨオーダーをセカンダリサービングネットワークノード２、３から受信すること６５とを含み、セカンダリサービングＨＳ−ＤＳＣＨノードから送られるＴＴＩスイッチングＨＳ−ＳＣＣＨオーダーは、サービングＨＳ−ＤＳＣＨノードから送られるＴＴＩスイッチングＨＳ−ＳＣＣＨオーダーとは無関係である。
【００６７】
マルチキャリアＨＳＵＰＡにおけるＴＴＩ組合せの制御のためのサービングノードが提示される。サービングノード２、３は、プロセッサ１０とコンピュータプログラム製品１２、１３とを備える。コンピュータプログラム製品は、プロセッサによって実行されたとき、ネットワークノードに、プライマリアップリンク周波数のＴＴＩスイッチングのための、およびセカンダリアップリンク周波数のＴＴＩスイッチングのための単一のＨＳ−ＳＣＣＨオーダーをＵＥ１に送ること６０を行わせる命令を記憶する。
【００６８】
マルチキャリアＨＳＵＰＡにおけるＴＴＩ組合せの制御のための通信ネットワークが提示される。通信ネットワーク６は、プロセッサ１０とコンピュータプログラム製品１２、１３とを備える。コンピュータプログラム製品は、プロセッサによって実行されたとき、ネットワークノードに、プライマリアップリンク周波数のＴＴＩスイッチングのための第１のＨＳ−ＳＣＣＨオーダーをサービングネットワークノード２、３からＵＥ１に送ること６１、および／またはセカンダリアップリンク周波数のＴＴＩスイッチングのための第２のＨＳ−ＳＣＣＨオーダーをセカンダリサービングネットワークノード２、３からＵＥ１に送ること６２を行わせる命令を記憶し、セカンダリサービングＨＳ−ＤＳＣＨノードから送られるＴＴＩ  ＨＳ−ＳＣＣＨオーダーは、サービングＨＳ−ＤＳＣＨノードから送られるＴＴＩスイッチングＨＳ−ＳＣＣＨオーダーとは無関係である。
【００６９】
マルチキャリアＨＳＵＰＡにおけるＴＴＩ組合せの制御のためのユーザ機器が提示される。ＵＥ１は、プロセッサ１０とコンピュータプログラム製品１２、１３とを備える。コンピュータプログラム製品は、プロセッサによって実行されたとき、ネットワークノードに、プライマリアップリンク周波数のＴＴＩスイッチングのための、およびセカンダリアップリンク周波数のＴＴＩスイッチングのための単一のＨＳ−ＳＣＣＨオーダーをサービングノード２、３から受信すること６３を行わせる命令を記憶する。
【００７０】
マルチキャリアＨＳＵＰＡにおけるＴＴＩ組合せの制御のためのユーザ機器が提示される。ＵＥ１は、プロセッサ１０とコンピュータプログラム製品１２、１３とを備える。コンピュータプログラム製品は、プロセッサによって実行されたとき、ネットワークノードに、プライマリアップリンク周波数のＴＴＩスイッチングのための第１のＨＳ−ＳＣＣＨオーダーをサービングネットワークノード２、３から受信すること６４と、セカンダリアップリンク周波数のＴＴＩスイッチングのための第２のＨＳ−ＳＣＣＨオーダーをセカンダリサービングネットワークノード２、３から受信すること６５とを行わせる命令を記憶し、セカンダリサービングＨＳ−ＤＳＣＨノードから送られるＴＴＩスイッチングＨＳ−ＳＣＣＨオーダーは、サービングＨＳ−ＤＳＣＨノードから送られるＴＴＩスイッチングＨＳ−ＳＣＣＨオーダーとは無関係である。
【００７１】
マルチキャリアＨＳＵＰＡにおけるＴＴＩ組合せの制御のためのサービングノードが提示される。サービングノード２、３は、プライマリアップリンク周波数のＴＴＩスイッチングのための、およびセカンダリアップリンク周波数のＴＴＩスイッチングのための単一のＨＳ−ＳＣＣＨオーダーをＵＥ１に送ること６０を行うための通信マネージャ７０を備える。
【００７２】
マルチキャリアＨＳＵＰＡにおけるＴＴＩ組合せの制御のための通信ネットワークが提示される。通信ネットワーク６は、プライマリアップリンク周波数のＴＴＩスイッチングのための第１のＨＳ−ＳＣＣＨオーダーをサービングネットワークノード２、３からＵＥ１に送ること６１を行うための、および／またはセカンダリアップリンク周波数のＴＴＩスイッチングのための第２のＨＳ−ＳＣＣＨオーダーをセカンダリサービングネットワークノード２、３からＵＥ１に送ること６２を行うための通信マネージャ７０を備え、セカンダリサービングＨＳ−ＤＳＣＨノードから送られるＴＴＩ  ＨＳ−ＳＣＣＨオーダーは、サービングＨＳ−ＤＳＣＨノードから送られるＴＴＩスイッチングＨＳ−ＳＣＣＨオーダーとは無関係である。
【００７３】
マルチキャリアＨＳＵＰＡにおけるＴＴＩ組合せの制御のためのユーザ機器が提示される。ＵＥ１は、プライマリアップリンク周波数のＴＴＩスイッチングのための、およびセカンダリアップリンク周波数のＴＴＩスイッチングのための単一のＨＳ−ＳＣＣＨオーダーをサービングノード２、３から受信すること６３を行うための通信マネージャ７０を備える。
【００７４】
マルチキャリアＨＳＵＰＡにおけるＴＴＩ組合せの制御のためのユーザ機器が提示される。ＵＥ１は、プライマリアップリンク周波数のＴＴＩスイッチングのための第１のＨＳ−ＳＣＣＨオーダーをサービングネットワークノード２、３から受信すること６４を行うための、およびセカンダリアップリンク周波数のＴＴＩスイッチングのための第２のＨＳ−ＳＣＣＨオーダーをセカンダリサービングネットワークノード２、３から受信すること６５を行うための通信マネージャ７０を備え、セカンダリサービングＨＳ−ＤＳＣＨノードから送られるＴＴＩスイッチングＨＳ−ＳＣＣＨオーダーは、サービングＨＳ−ＤＳＣＨノードから送られるＴＴＩスイッチングＨＳ−ＳＣＣＨオーダーとは無関係である。
【００７５】
マルチキャリアＨＳＵＰＡにおけるＴＴＩ組合せの制御のためのコンピュータプログラム１４、１５が提示される。コンピュータプログラムは、サービングノード２、３上で動作させられたとき、サービングノード２、３に、プライマリアップリンク周波数のＴＴＩスイッチングのための、およびセカンダリアップリンク周波数のＴＴＩスイッチングのための単一のＨＳ−ＳＣＣＨオーダーをＵＥ１に送ること６０を行わせるコンピュータプログラムコードを備える。
【００７６】
マルチキャリアＨＳＵＰＡにおけるＴＴＩ組合せの制御のためのコンピュータプログラムが提示される。コンピュータプログラムは、通信ネットワーク６上で動作させられたとき、通信ネットワーク６に、プライマリアップリンク周波数のＴＴＩスイッチングのための第１のＨＳ−ＳＣＣＨオーダーをサービングネットワークノード２、３からＵＥ１に送ること６１、および／またはセカンダリアップリンク周波数のＴＴＩスイッチングのための第２のＨＳ−ＳＣＣＨオーダーをセカンダリサービングネットワークノード２、３からＵＥ１に送ること６２を行わせるコンピュータプログラムコードを備え、セカンダリサービングＨＳ−ＤＳＣＨノードから送られるＴＴＩ  ＨＳ−ＳＣＣＨオーダーは、サービングＨＳ−ＤＳＣＨノードから送られるＴＴＩスイッチングＨＳ−ＳＣＣＨオーダーとは無関係である。
【００７７】
マルチキャリアＨＳＵＰＡにおけるＴＴＩ組合せの制御のためのコンピュータプログラムが提示される。コンピュータプログラムは、ＵＥ１上で動作させられたとき、ＵＥ１に、プライマリアップリンク周波数のＴＴＩスイッチングのための、およびセカンダリアップリンク周波数のＴＴＩスイッチングのための単一のＨＳ−ＳＣＣＨオーダーをサービングノード２、３から受信すること６３を行わせるコンピュータプログラムコードを備える。
【００７８】
マルチキャリアＨＳＵＰＡにおけるＴＴＩ組合せの制御のためのコンピュータプログラムが提示される。コンピュータプログラムは、ＵＥ１上で動作させられたとき、ＵＥ１に、プライマリアップリンク周波数のＴＴＩスイッチングのための第１のＨＳ−ＳＣＣＨオーダーをサービングネットワークノード２、３から受信すること６４と、セカンダリアップリンク周波数のＴＴＩスイッチングのための第２のＨＳ−ＳＣＣＨオーダーをセカンダリサービングネットワークノード２、３から受信すること６５とを行わせるコンピュータプログラムコードを備え、セカンダリサービングＨＳ−ＤＳＣＨノードから送られるＴＴＩスイッチングＨＳ−ＳＣＣＨオーダーは、サービングＨＳ−ＤＳＣＨノードから送られるＴＴＩスイッチングＨＳ−ＳＣＣＨオーダーとは無関係である。
【００７９】
図５は、総称的に５の番号を付けられた、ネットワークノード２または３、あるいはユーザ機器１のいくつかの構成要素を示す概略図である。プロセッサ１０は、メモリに記憶されたコンピュータプログラム１４のソフトウェア命令を実行することが可能な、好適な中央処理ユニット（ＣＰＵ）、マルチプロセッサ、マイクロコントローラ、デジタル信号プロセッサ（ＤＳＰ）、特定用途向け集積回路などのうちの１つまたは複数の任意の組合せを使用して提供され得る。したがって、メモリは、コンピュータプログラム製品１２であると見なされるか、またはコンピュータプログラム製品１２の一部を形成することができる。プロセッサ１０は、図６を参照しながら本明細書で説明される方法を実行するように設定され得る。
【００８０】
メモリは、読取りおよび書込みメモリ（ＲＡＭ）と、読取り専用メモリ（ＲＯＭ）との任意の組合せであり得る。メモリはまた、たとえば、磁気メモリ、光学メモリ、ソリッドステートメモリ、さらにはリモートに搭載されるメモリのうちのいずれか単独の１つまたは組合せであり得る、永続的なストレージを備え得る。
【００８１】
また、たとえば、プロセッサ１０におけるソフトウェア命令の実行中にデータを読み取るおよび／または記憶するために、データメモリの形態の第２のコンピュータプログラム製品１３が提供され得る。データメモリは、読取りおよび書込みメモリ（ＲＡＭ）と読取り専用メモリ（ＲＯＭ）との任意の組合せであり得、また、たとえば、磁気メモリ、光学メモリ、ソリッドステートメモリ、さらにはリモートに搭載されるメモリのうちのいずれか単独の１つまたは組合せであり得る、永続的なストレージを備え得る。たとえば、データメモリは、ネットワークノード２または３、あるいはＵＥ１のための機能を改善するために、他のソフトウェア命令１５を保持し得る。
【００８２】
ネットワークノード２または３、あるいはＵＥ１は、たとえば、ユーザインターフェースを含む、入出力（Ｉ／Ｏ）インターフェース１１をさらに備え得る。ネットワークノード２または３、あるいはＵＥ１は、他のノードからシグナリングを受信するように設定された受信機と、他のノードにシグナリングを送信するように設定された送信機とをさらに備え得る（図示せず）。ネットワークノードまたはＵＥの他の構成要素は、本明細書で提示される概念を不明瞭にしないように省略される。
【００８３】
図７は、総称的に５の番号を付けられた、ネットワークノード２または３、あるいはＵＥ１の機能ブロックを示す概略図である。モジュールは、キャッシュサーバにおいて実行するコンピュータプログラムなどのソフトウェア命令のみ、または特定用途向け集積回路、フィールドプログラマブルゲートアレイ、ディスクリート論理構成要素、トランシーバなどのハードウェアのみなどとして、あるいはそれらの組合せとして実装され得る。代替実施形態では、機能ブロックのうちのいくつかはソフトウェアによって実装され、他はハードウェアによって実装され得る。通信マネージャユニット７０を備えるモジュールが、図６に例示された方法におけるステップに対応する。モジュールのうちの１つまたは複数がコンピュータプログラムによって実装される実施形態では、これらのモジュールは、必ずしもプロセスモジュールに対応するとは限らないが、いくつかのプログラミング言語は一般的にプロセスモジュールを含んでいないので、それらのモジュールが実装されることになるプログラミング言語に従って命令として書き込まれ得ることを理解されたい。
【００８４】
通信マネージャ７０は、ＨＳＵＰＡにおけるＴＴＩ組合せの制御のためのものである。このモジュールは、図６Ａの送信するステップ６０と、図６Ｃの送信するステップ６１および６２と、図６Ｂの受信するステップ６３と、図６Ｄの受信するステップ６４および６５とに対応する。たとえば、このモジュールは、コンピュータプログラムを動作させるとき、図５のプロセッサ１０によって実装され得る。
【００８５】
コンピュータプログラム１４、１５と、コンピュータプログラム１４、１５が記憶されるコンピュータ可読記憶手段とを備えるコンピュータプログラム製品１２、１３が提示される。
【００８６】
本発明は、主に数個の実施形態を参照しながら上記で説明された。しかしながら、当業者によって直ちに認識されるように、上記で開示された実施形態以外の実施形態も、添付の特許請求の範囲によって規定される本発明の範囲内で等しく可能である。
【００８７】
実施形態の項目別リスト：
１．  マルチキャリア高速アップリンクパケットアクセス（ＨＳＵＰＡ）における送信時間間隔（ＴＴＩ）組合せの制御のための方法であって、方法が、通信ネットワーク（６）のサービングノード（２、３）において実施され、
プライマリアップリンク（ＵＬ）周波数のＴＴＩスイッチングのための、および／またはセカンダリアップリンク周波数のＴＴＩスイッチングのための高速シグナリング制御チャネル（ＨＳ−ＳＣＣＨ）オーダーをユーザ機器（ＵＥ１）に送ること（６０）を含み、セカンダリサービングＨＳ−ＤＳＣＨノードから送られるＴＴＩスイッチングＨＳ−ＳＣＣＨオーダーは、サービングＨＳ−ＤＳＣＨノードから送られるＴＴＩスイッチングＨＳ−ＳＣＣＨオーダーとは無関係である、
方法。
２．  特定のＨＳ−ＳＣＣＨオーダーの形態のスイッチングオーダーが、プライマリＵＬキャリアのＴＴＩをスイッチすることをＵＥに指示するために、サービングＨＳ−ＤＳＣＨノードから送られ、別のスイッチングオーダーが、セカンダリＵＬキャリアのためのＴＴＩスイッチを指示するために、セカンダリサービングＨＳ−ＤＳＣＨノードからのＨＳ−ＳＣＣＨオーダーを使用して送られ得、それらのＨＳ−ＳＣＣＨオーダー送信は、同時に実施されることも実施されないこともある、項目１に記載の方法。
３．  マルチキャリア高速アップリンクパケットアクセス（ＨＳＵＰＡ）における送信時間間隔（ＴＴＩ）組合せの制御のための方法であって、方法が、通信ネットワーク（６）において実施され、
プライマリアップリンク周波数のＴＴＩスイッチングのための第１の高速シグナリング制御チャネル（ＨＳ−ＳＣＣＨ）オーダーをサービングネットワークノード（２、３）からユーザ機器（ＵＥ１）に送ること（６１）、および／またはセカンダリアップリンク周波数のＴＴＩスイッチングのための第２のＨＳ−ＳＣＣＨオーダーをセカンダリサービングネットワークノード（２、３）からＵＥ（１）に送ること（６２）を含み、セカンダリサービングＨＳ−ＤＳＣＨノードから送られるＴＴＩ  ＨＳ−ＳＣＣＨオーダーは、サービングＨＳ−ＤＳＣＨノードから送られるＴＴＩスイッチングＨＳ−ＳＣＣＨオーダーとは無関係である、
方法。
４．  通信ネットワークが、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）である、項目１から３のいずれか１つに記載の方法。
５．  ＨＳ−ＳＣＣＨオーダーが、サービングＨＳ−ＤＳＣＨサービングノードまたはセカンダリＨＳ−ＤＳＣＨサービングノードのいずれかから送られる、項目１から４のいずれか１つに記載の方法。
６．  ＨＳ−ＳＣＣＨオーダーが、拡張されたオーダータイプ「１１  ０１１」にしたがって送られる、項目１から５のいずれか１つに記載の方法。
７．  通信ネットワークのカバレッジが、より長いＴＴＩにスイッチすることによって拡張される、項目１から６のいずれか１つに記載の方法。
８．  通信ネットワークのスループットが、より短いＴＴＩにスイッチすることによって増加される、項目１から７のいずれか１つに記載の方法。
９．  マルチキャリア高速アップリンクパケットアクセス（ＨＳＵＰＡ）における送信時間間隔（ＴＴＩ）組合せの制御のための方法であって、方法が、通信ネットワーク（６）のユーザ機器（１）において実施され、
プライマリアップリンク周波数のＴＴＩスイッチングのための、および／またはセカンダリアップリンク周波数のＴＴＩスイッチングのための高速シグナリング制御チャネル（ＨＳ−ＳＣＣＨ）オーダーをサービングノード（２、３）から受信すること（６３）を含み、第２のＨＳ−ＳＣＣＨオーダーからのＴＴＩスイッチングオーダーは、第１のＨＳ−ＳＣＣＨオーダーのＴＴＩスイッチングオーダーとは無関係である、
方法。
１０．  マルチキャリア高速アップリンクパケットアクセス（ＨＳＵＰＡ）における送信時間間隔（ＴＴＩ）組合せの制御のための方法であって、方法が、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ６）のユーザ機器（ＵＥ１）において実施され、
プライマリアップリンク周波数のＴＴＩスイッチングのための第１の高速シグナリング制御チャネル（ＨＳ−ＳＣＣＨ）オーダーをサービングネットワークノード（２、３）から受信すること（６４）と、
セカンダリアップリンク周波数のＴＴＩスイッチングのための第２のＨＳ−ＳＣＣＨオーダーをセカンダリサービングネットワークノード（２、３）から受信すること（６５）とを含み、セカンダリサービングＨＳ−ＤＳＣＨノードから送られるＴＴＩスイッチングＨＳ−ＳＣＣＨオーダーは、サービングＨＳ−ＤＳＣＨノードから送られるＴＴＩスイッチングＨＳ−ＳＣＣＨオーダーとは無関係である、
方法。
１１．  通信ネットワークが、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）である、項目９または１０に記載の方法。
１２．  ＨＳ−ＳＣＣＨオーダーが、高速ダウンリンク共有チャネル（ＨＳ−ＤＳＣＨ）ノードから受信される、項目９から１１のいずれか１つに記載の方法。
１３．  ＨＳ−ＳＣＣＨオーダーが、拡張されたオーダータイプ「１１  ０１１」にしたがって受信される、項目９から１２のいずれか１つに記載の方法。
１４．  ＵＭＴＳのカバレッジが、より長いＴＴＩにスイッチすることによって拡張される、項目９から１３のいずれか１つに記載の方法。
１５．  ＵＭＴＳのスループットが、より短いＴＴＩにスイッチすることによって増加される、項目９から１４のいずれか１つに記載の方法。
１６．  マルチキャリア高速アップリンクパケットアクセス（ＨＳＵＰＡ）における送信時間間隔（ＴＴＩ）組合せの制御のためのサービングノードであって、サービングノード（２、３）が、
プロセッサ（１０）と、
命令を記憶するコンピュータプログラム製品（１２、１３）とを備え、命令が、プロセッサによって実行されたとき、ネットワークノードに、
プライマリアップリンク（ＵＬ）周波数のＴＴＩスイッチングのための、および／またはセカンダリアップリンク周波数のＴＴＩスイッチングのための高速シグナリング制御チャネル（ＨＳ−ＳＣＣＨ）オーダーをユーザ機器（ＵＥ１）に送ること（６０）を行わせ、セカンダリサービングＨＳ−ＤＳＣＨノードから送られるＴＴＩスイッチングＨＳ−ＳＣＣＨオーダーは、サービングＨＳ−ＤＳＣＨノードから送られるＴＴＩスイッチングＨＳ−ＳＣＣＨオーダーとは無関係である、
サービングノード。
１７．  特定のＨＳ−ＳＣＣＨオーダーの形態のスイッチングオーダーが、プライマリＵＬキャリアのＴＴＩをスイッチすることをＵＥに指示するために、サービングＨＳ−ＤＳＣＨノードから送られ、別のスイッチングオーダーが、セカンダリＵＬキャリアのためのＴＴＩスイッチを指示するために、セカンダリサービングＨＳ−ＤＳＣＨノードからのＨＳ−ＳＣＣＨオーダーを使用して送られ得、それらのＨＳ−ＳＣＣＨオーダー送信は、同時に実施されることも実施されないこともある、項目１６に記載のサービングノード。
１８．  マルチキャリア高速アップリンクパケットアクセス（ＨＳＵＰＡ）における送信時間間隔（ＴＴＩ）組合せの制御のための通信ネットワークであって、通信ネットワーク（６）が、
プロセッサ（１０）と、
命令を記憶するコンピュータプログラム製品（１２、１３）とを備え、命令が、プロセッサによって実行されたとき、ネットワークノードに、
プライマリアップリンク周波数のＴＴＩスイッチングのための第１の高速シグナリング制御チャネル（ＨＳ−ＳＣＣＨ）オーダーをサービングノード（２、３）からユーザ機器（ＵＥ１）に送ること（６１）、および／または
セカンダリアップリンク周波数のＴＴＩスイッチングのための第２のＨＳ−ＳＣＣＨオーダーをセカンダリサービングネットワークノード（２、３）からＵＥ（１）に送ること（６２）を行わせ、セカンダリサービングＨＳ−ＤＳＣＨノードから送られるＴＴＩ  ＨＳ−ＳＣＣＨオーダーは、サービングＨＳ−ＤＳＣＨノードから送られるＴＴＩスイッチングＨＳ−ＳＣＣＨオーダーとは無関係である、
通信ネットワーク。
１９．  通信ネットワークが、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）である、項目１６から１８のいずれか１つに記載のサービングノードまたはネットワークノード。
２０．  マルチキャリア高速アップリンクパケットアクセス（ＨＳＵＰＡ）における送信時間間隔（ＴＴＩ）組合せの制御のためのユーザ機器（ＵＥ）であって、ＵＥ（１）が、
プロセッサ（１０）と、
命令を記憶するコンピュータプログラム製品（１２、１３）とを備え、命令が、プロセッサによって実行されたとき、ネットワークノードに、
プライマリアップリンク周波数のＴＴＩスイッチングのための、および／またはセカンダリアップリンク周波数のＴＴＩスイッチングのための高速シグナリング制御チャネル（ＨＳ−ＳＣＣＨ）オーダーをサービングノード（２、３）から受信すること（６３）を行わせ、ＨＳ−ＳＣＣＨオーダーからのＴＴＩスイッチングオーダーは、第１のＨＳ−ＳＣＣＨオーダーのＴＴＩスイッチングオーダーとは無関係である、
ユーザ機器（ＵＥ）。
２１．  マルチキャリア高速アップリンクパケットアクセス（ＨＳＵＰＡ）における送信時間間隔（ＴＴＩ）組合せの制御のためのユーザ機器（ＵＥ）であって、ＵＥ（１）が、
プロセッサ（１０）と、
命令を記憶するコンピュータプログラム製品（１２、１３）とを備え、命令が、プロセッサによって実行されたとき、ネットワークノードに、
プライマリアップリンク周波数のＴＴＩスイッチングのための第１の高速シグナリング制御チャネル（ＨＳ−ＳＣＣＨ）オーダーをサービングネットワークノード（２、３）から受信すること（６４）と、
セカンダリアップリンク周波数のＴＴＩスイッチングのための第２のＨＳ−ＳＣＣＨオーダーをセカンダリサービングネットワークノード（２、３）から受信すること（６５）とを行わせ、セカンダリサービングＨＳ−ＤＳＣＨノードから送られるＴＴＩスイッチングＨＳ−ＳＣＣＨオーダーは、サービングＨＳ−ＤＳＣＨノードから送られるＴＴＩスイッチングＨＳ−ＳＣＣＨオーダーとは無関係である、
ユーザ機器（ＵＥ）。
２２．  マルチキャリア高速アップリンクパケットアクセス（ＨＳＵＰＡ）における送信時間間隔（ＴＴＩ）組合せの制御のためのサービングノードであって、サービングノード（２、３）が、
プライマリアップリンク（ＵＬ）周波数のＴＴＩスイッチングのための、および／またはセカンダリアップリンク周波数のＴＴＩスイッチングのための高速シグナリング制御チャネル（ＨＳ−ＳＣＣＨ）オーダーをユーザ機器（ＵＥ１）に送ること（６０）を行うための通信マネージャ（７０）を備え、セカンダリサービングＨＳ−ＤＳＣＨノードから送られるＴＴＩスイッチングＨＳ−ＳＣＣＨオーダーは、サービングＨＳ−ＤＳＣＨノードから送られるＴＴＩスイッチングＨＳ−ＳＣＣＨオーダーとは無関係である、
サービングノード。
２３．  マルチキャリア高速アップリンクパケットアクセス（ＨＳＵＰＡ）における送信時間間隔（ＴＴＩ）組合せの制御のための通信ネットワークであって、通信ネットワーク（６）が、
プライマリアップリンク周波数のＴＴＩスイッチングのための第１の高速シグナリング制御チャネル（ＨＳ−ＳＣＣＨ）オーダーをサービングネットワークノード（２、３）からユーザ機器（ＵＥ１）に送ること（６１）を行うための、および／またはセカンダリアップリンク周波数のＴＴＩスイッチングのための第２のＨＳ−ＳＣＣＨオーダーをセカンダリサービングネットワークノード（２、３）からＵＥ（１）に送ること（６２）を行うための通信マネージャ（７０）を備え、セカンダリサービングＨＳ−ＤＳＣＨノードから送られるＴＴＩ  ＨＳ−ＳＣＣＨオーダーは、サービングＨＳ−ＤＳＣＨノードから送られるＴＴＩスイッチングＨＳ−ＳＣＣＨオーダーとは無関係である、
通信ネットワーク。
２４．  マルチキャリア高速アップリンクパケットアクセス（ＨＳＵＰＡ）における送信時間間隔（ＴＴＩ）組合せの制御のためのユーザ機器（ＵＥ）であって、ＵＥ（１）が、
プライマリアップリンク周波数のＴＴＩスイッチングのための、および／またはセカンダリアップリンク周波数のＴＴＩスイッチングのための高速シグナリング制御チャネル（ＨＳ−ＳＣＣＨ）オーダーをサービングノード（２、３）から受信すること（６３）を行うための通信マネージャ（７０）を備え、ＨＳ−ＳＣＣＨオーダーからのＴＴＩスイッチングオーダーは、第１のＨＳ−ＳＣＣＨオーダーのＴＴＩスイッチングオーダーとは無関係である、
ユーザ機器（ＵＥ）。
２５．  マルチキャリア高速アップリンクパケットアクセス（ＨＳＵＰＡ）における送信時間間隔（ＴＴＩ）組合せの制御のためのユーザ機器（ＵＥ）であって、ＵＥ（１）が、
プライマリアップリンク周波数のＴＴＩスイッチングのための第１の高速シグナリング制御チャネル（ＨＳ−ＳＣＣＨ）オーダーをサービングネットワークノード（２、３）から受信すること（６４）を行うための、およびセカンダリアップリンク周波数のＴＴＩスイッチングのための第２のＨＳ−ＳＣＣＨオーダーをセカンダリサービングネットワークノード（２、３）から受信すること（６５）を行うための通信マネージャ（７０）を備え、セカンダリサービングＨＳ−ＤＳＣＨノードから送られるＴＴＩスイッチングＨＳ−ＳＣＣＨオーダーは、サービングＨＳ−ＤＳＣＨノードから送られるＴＴＩスイッチングＨＳ−ＳＣＣＨオーダーとは無関係である、
ユーザ機器（ＵＥ）。
２６．  マルチキャリア高速アップリンクパケットアクセス（ＨＳＵＰＡ）における送信時間間隔（ＴＴＩ）組合せの制御のためのコンピュータプログラム（１４、１５）であって、コンピュータプログラムがコンピュータプログラムコードを備え、コンピュータプログラムコードが、サービングノード（２、３）上で動作させられたとき、サービングノード（２、３）に、
プライマリアップリンク（ＵＬ）周波数のＴＴＩスイッチングのための、および／またはセカンダリアップリンク周波数のＴＴＩスイッチングのための高速シグナリング制御チャネル（ＨＳ−ＳＣＣＨ）オーダーをユーザ機器（ＵＥ１）に送ること（６０）を行わせ、セカンダリサービングＨＳ−ＤＳＣＨノードから送られるＴＴＩスイッチングＨＳ−ＳＣＣＨオーダーは、サービングＨＳ−ＤＳＣＨノードから送られるＴＴＩスイッチングＨＳ−ＳＣＣＨオーダーとは無関係である、
コンピュータプログラム（１４、１５）。
２７．  マルチキャリア高速アップリンクパケットアクセス（ＨＳＵＰＡ）における送信時間間隔（ＴＴＩ）組合せの制御のためのコンピュータプログラムであって、コンピュータプログラムがコンピュータプログラムコードを備え、コンピュータプログラムコードが、通信ネットワーク（６）上で動作させられたとき、通信ネットワーク（６）に、
プライマリアップリンク周波数のＴＴＩスイッチングのための第１の高速シグナリング制御チャネル（ＨＳ−ＳＣＣＨ）オーダーをサービングノード（２、３）からユーザ機器（ＵＥ１）に送ること（６１）、および／または
セカンダリアップリンク周波数のＴＴＩスイッチングのための第２のＨＳ−ＳＣＣＨオーダーをセカンダリサービングネットワークノード（２、３）からＵＥ（１）に送ること（６２）を行わせ、セカンダリサービングＨＳ−ＤＳＣＨノードから送られるＴＴＩ  ＨＳ−ＳＣＣＨオーダーは、サービングＨＳ−ＤＳＣＨノードから送られるＴＴＩスイッチングＨＳ−ＳＣＣＨオーダーとは無関係である、
コンピュータプログラム。
２８．  マルチキャリア高速アップリンクパケットアクセス（ＨＳＵＰＡ）における送信時間間隔（ＴＴＩ）組合せの制御のためのコンピュータプログラムであって、コンピュータプログラムがコンピュータプログラムコードを備え、コンピュータプログラムコードが、ＵＥ（１）上で動作させられたとき、ＵＥ（１）に、
プライマリアップリンク周波数のＴＴＩスイッチングのための、および／またはセカンダリアップリンク周波数のＴＴＩスイッチングのための高速シグナリング制御チャネル（ＨＳ−ＳＣＣＨ）オーダーをサービングノード（２、３）から受信すること（６３）を行わせ、第２のＨＳ−ＳＣＣＨオーダーからのＴＴＩスイッチングオーダーは、第１のＨＳ−ＳＣＣＨオーダーのＴＴＩスイッチングオーダーとは無関係である、
コンピュータプログラム。
２９．  マルチキャリア高速アップリンクパケットアクセス（ＨＳＵＰＡ）における送信時間間隔（ＴＴＩ）組合せの制御のためのコンピュータプログラムであって、コンピュータプログラムがコンピュータプログラムコードを備え、コンピュータプログラムコードが、ＵＥ（１）上で動作させられたとき、ＵＥ（１）に、
プライマリアップリンク周波数のＴＴＩスイッチングのための第１の高速シグナリング制御チャネル（ＨＳ−ＳＣＣＨ）オーダーをサービングネットワークノード（２、３）から受信すること（６４）と、セカンダリアップリンク周波数のＴＴＩスイッチングのための第２のＨＳ−ＳＣＣＨオーダーをセカンダリサービングネットワークノード（２、３）から受信すること（６５）とを行わせ、セカンダリサービングＨＳ−ＤＳＣＨノードから送られるＴＴＩスイッチングＨＳ−ＳＣＣＨオーダーは、サービングＨＳ−ＤＳＣＨノードから送られるＴＴＩスイッチングＨＳ−ＳＣＣＨオーダーとは無関係である、
コンピュータプログラム。
【図１】
2019520735.tif 000006
【図２】
2019520735.tif 000007
【図３】
2019520735.tif 000008
【図４Ａ】
2019520735.tif 000009
【図４Ｂ】
2019520735.tif 000010
【図４Ｃ】
2019520735.tif 000011
【図５】
2019520735.tif 000012
【図６Ａ】
2019520735.tif 000013
【図６Ｂ】
2019520735.tif 000014
【図６Ｃ】
2019520735.tif 000015
【図６Ｄ】
2019520735.tif 000016
【図７】
2019520735.tif 000017
【手続補正書】
【提出日】平成30年3月12日(2018.3.12)
【手続補正１】
【補正対象書類名】特許請求の範囲
【補正対象項目名】全文
【補正方法】変更
【補正の内容】
【特許請求の範囲】
【請求項１】
マルチキャリア高速アップリンクパケットアクセス（ＨＳＵＰＡ）における送信時間間隔（ＴＴＩ）組合せの制御のための方法であって、前記方法が、通信ネットワーク（６）のサービングノード（２、３）において実施され、
プライマリアップリンク（ＵＬ）周波数のＴＴＩスイッチングのための、およびセカンダリアップリンク周波数のＴＴＩスイッチングのための単一の高速シグナリング制御チャネル（ＨＳ−ＳＣＣＨ）オーダーをユーザ機器（ＵＥ１）に送ること（６０）を含み、２ｍｓ＋１０ｍｓ、１０ｍｓ＋２ｍｓ、２×２ｍｓ、または２×１０ｍｓへのＴＴＩスイッチオーダーを指示する前記ＨＳ−ＳＣＣＨオーダーが送られる、
方法。
【請求項２】
前記通信ネットワークが、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）である、請求項１に記載の方法。
【請求項３】
前記ＨＳ−ＳＣＣＨオーダーが、拡張されたオーダータイプ「１１  ０１１」にしたがって送られる、請求項１または２に記載の方法。
【請求項４】
２×２ｍｓから２×１０ｍｓへの、２×１０ｍｓから２×２ｍｓへの、２×２ｍｓから１０ｍｓ＋２ｍｓへの、１０ｍｓ＋２ｍｓから２×２ｍｓへの、２×１０ｍｓから１０ｍｓ＋２ｍｓへの、１０ｍｓ＋２ｍｓから２×１０ｍｓへの、２×２ｍｓから２ｍｓ＋１０ｍｓへの、２ｍｓ＋１０ｍｓから２×２ｍｓへの、２ｍｓ＋１０ｍｓから２×１０ｍｓへの、または２×１０ｍｓから２ｍｓ＋１０ｍｓへのＴＴＩスイッチオーダーを指示する前記ＨＳ−ＳＣＣＨオーダーが送られる、請求項１から３のいずれか一項に記載の方法。
【請求項５】
前記通信ネットワークのカバレッジが、より長いＴＴＩにスイッチすることによって拡張される、請求項１から４のいずれか一項に記載の方法。
【請求項６】
前記通信ネットワークのスループットが、より短いＴＴＩにスイッチすることによって増加される、請求項１から４のいずれか一項に記載の方法。
【請求項７】
マルチキャリア高速アップリンクパケットアクセス（ＨＳＵＰＡ）における送信時間間隔（ＴＴＩ）組合せの制御のための方法であって、前記方法が、通信ネットワーク（６）のユーザ機器（１）において実施され、
プライマリアップリンク周波数のＴＴＩスイッチングのための、およびセカンダリアップリンク周波数のＴＴＩスイッチングのための単一の高速シグナリング制御チャネル（ＨＳ−ＳＣＣＨ）オーダーをサービングノード（２、３）から受信すること（６３）を含み、２ｍｓ＋１０ｍｓ、１０ｍｓ＋２ｍｓ、２×２ｍｓ、または２×１０ｍｓへのＴＴＩスイッチオーダーを指示する前記ＨＳ−ＳＣＣＨオーダーが受信される、
方法。
【請求項８】
前記通信ネットワークが、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）である、請求項７に記載の方法。
【請求項９】
前記ＨＳ−ＳＣＣＨオーダーが、高速ダウンリンク共有チャネル（ＨＳ−ＤＳＣＨ）ノードから受信される、請求項７または８に記載の方法。
【請求項１０】
前記ＨＳ−ＳＣＣＨオーダーが、拡張されたオーダータイプ「１１  ０１１」にしたがって受信される、請求項７から９のいずれか一項に記載の方法。
【請求項１１】
２×２ｍｓから２×１０ｍｓへの、２×１０ｍｓから２×２ｍｓへの、２×２ｍｓから１０ｍｓ＋２ｍｓへの、１０ｍｓ＋２ｍｓから２×２ｍｓへの、２×１０ｍｓから１０ｍｓ＋２ｍｓへの、１０ｍｓ＋２ｍｓから２×１０ｍｓへの、２×２ｍｓから２ｍｓ＋１０ｍｓへの、２ｍｓ＋１０ｍｓから２×２ｍｓへの、２ｍｓ＋１０ｍｓから２×１０ｍｓへの、または２×１０ｍｓから２ｍｓ＋１０ｍｓへのＴＴＩスイッチオーダーを指示する前記ＨＳ−ＳＣＣＨオーダーが送られる、請求項７から１０のいずれか一項に記載の方法。
【請求項１２】
ＵＭＴＳのカバレッジが、より長いＴＴＩにスイッチすることによって拡張される、請求項７から１１のいずれか一項に記載の方法。
【請求項１３】
前記ＵＭＴＳのスループットが、より短いＴＴＩにスイッチすることによって増加される、請求項７から１１のいずれか一項に記載の方法。
【請求項１４】
マルチキャリア高速アップリンクパケットアクセス（ＨＳＵＰＡ）における送信時間間隔（ＴＴＩ）組合せの制御のためのサービングノードであって、前記サービングノード（２、３）が、
プロセッサ（１０）と、
命令を記憶するコンピュータプログラム製品（１２、１３）とを備え、前記命令が、前記プロセッサによって実行されたとき、ネットワークノードに、
プライマリアップリンク（ＵＬ）周波数のＴＴＩスイッチングのための、およびセカンダリアップリンク周波数のＴＴＩスイッチングのための単一の高速シグナリング制御チャネル（ＨＳ−ＳＣＣＨ）オーダーをユーザ機器（ＵＥ１）に送ること（６０）を行わせ、２ｍｓ＋１０ｍｓ、１０ｍｓ＋２ｍｓ、２×２ｍｓ、または２×１０ｍｓへのＴＴＩスイッチオーダーを指示する前記ＨＳ−ＳＣＣＨオーダーが送られる、
サービングノード。
【請求項１５】
通信ネットワークが、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）である、請求項１４に記載のサービングノード。
【請求項１６】
マルチキャリア高速アップリンクパケットアクセス（ＨＳＵＰＡ）における送信時間間隔（ＴＴＩ）組合せの制御のためのユーザ機器（ＵＥ）であって、前記ＵＥ（１）が、
プロセッサ（１０）と、
命令を記憶するコンピュータプログラム製品（１２、１３）とを備え、前記命令が、前記プロセッサによって実行されたとき、ネットワークノードに、
プライマリアップリンク周波数のＴＴＩスイッチングのための、およびセカンダリアップリンク周波数のＴＴＩスイッチングのための単一の高速シグナリング制御チャネル（ＨＳ−ＳＣＣＨ）オーダーをサービングノード（２、３）から受信すること（６３）を行わせ、２ｍｓ＋１０ｍｓ、１０ｍｓ＋２ｍｓ、２×２ｍｓ、または２×１０ｍｓへのＴＴＩスイッチオーダーを指示する前記ＨＳ−ＳＣＣＨオーダーが受信される、
ユーザ機器（ＵＥ）。
【請求項１７】
マルチキャリア高速アップリンクパケットアクセス（ＨＳＵＰＡ）における送信時間間隔（ＴＴＩ）組合せの制御のためのサービングノードであって、前記サービングノード（２、３）が、
プライマリアップリンク（ＵＬ）周波数のＴＴＩスイッチングのための、およびセカンダリアップリンク周波数のＴＴＩスイッチングのための単一の高速シグナリング制御チャネル（ＨＳ−ＳＣＣＨ）オーダーをユーザ機器（ＵＥ１）に送ること（６０）を行うための通信マネージャ（７０）を備え、２ｍｓ＋１０ｍｓ、１０ｍｓ＋２ｍｓ、２×２ｍｓ、または２×１０ｍｓへのＴＴＩスイッチオーダーを指示する前記ＨＳ−ＳＣＣＨオーダーが送られる、
サービングノード。
【請求項１８】
マルチキャリア高速アップリンクパケットアクセス（ＨＳＵＰＡ）における送信時間間隔（ＴＴＩ）組合せの制御のためのユーザ機器（ＵＥ）であって、前記ＵＥ（１）が、
プライマリアップリンク周波数のＴＴＩスイッチングのための、およびセカンダリアップリンク周波数のＴＴＩスイッチングのための単一の高速シグナリング制御チャネル（ＨＳ−ＳＣＣＨ）オーダーをサービングノード（２、３）から受信すること（６３）を行うための通信マネージャ（７０）を備え、２ｍｓ＋１０ｍｓ、１０ｍｓ＋２ｍｓ、２×２ｍｓ、または２×１０ｍｓへのＴＴＩスイッチオーダーを指示する前記ＨＳ−ＳＣＣＨオーダーが受信される、
ユーザ機器（ＵＥ）。
【請求項１９】
マルチキャリア高速アップリンクパケットアクセス（ＨＳＵＰＡ）における送信時間間隔（ＴＴＩ）組合せの制御のためのコンピュータプログラム（１４、１５）であって、前記コンピュータプログラムがコンピュータプログラムコードを備え、前記コンピュータプログラムコードが、サービングノード（２、３）上で動作させられたとき、前記サービングノード（２、３）に、
プライマリアップリンク（ＵＬ）周波数のＴＴＩスイッチングのための、およびセカンダリアップリンク周波数のＴＴＩスイッチングのための単一の高速シグナリング制御チャネル（ＨＳ−ＳＣＣＨ）オーダーをユーザ機器（ＵＥ１）に送ること（６０）を行わせ、２ｍｓ＋１０ｍｓ、１０ｍｓ＋２ｍｓ、２×２ｍｓ、または２×１０ｍｓへのＴＴＩスイッチオーダーを指示する前記ＨＳ−ＳＣＣＨオーダーが送られる、
コンピュータプログラム（１４、１５）。
【請求項２０】
マルチキャリア高速アップリンクパケットアクセス（ＨＳＵＰＡ）における送信時間間隔（ＴＴＩ）組合せの制御のためのコンピュータプログラムであって、前記コンピュータプログラムがコンピュータプログラムコードを備え、前記コンピュータプログラムコードが、ＵＥ（１）上で動作させられたとき、前記ＵＥ（１）に、
プライマリアップリンク周波数のＴＴＩスイッチングのための、およびセカンダリアップリンク周波数のＴＴＩスイッチングのための単一の高速シグナリング制御チャネル（ＨＳ−ＳＣＣＨ）オーダーをサービングノード（２、３）から受信すること（６３）を行わせ、２ｍｓ＋１０ｍｓ、１０ｍｓ＋２ｍｓ、２×２ｍｓ、または２×１０ｍｓへのＴＴＩスイッチオーダーを指示する前記ＨＳ−ＳＣＣＨオーダーが受信される、
コンピュータプログラム。
【請求項２１】
請求項１９または２０に記載のコンピュータプログラム（１４、１５）と、前記コンピュータプログラム（１４、１５）が記憶されるコンピュータ可読記憶手段とを備えるコンピュータプログラム製品（１２、１３）。
【国際調査報告】
2019520735.tif 000018
2019520735.tif 000019
2019520735.tif 000020